(57)【要約】【課題】光ケーブルを壁に設けた貫通配線孔に挿通しつつ壁面に沿わせ曲げ配線する場合に、同曲げ配線部における光ケーブルの保護を適切に図りつつ所要の曲率を確保し、又同曲げ配線部における配線作業を容易にし、信頼性を確保する壁貫通光ケーブルの配線具を提供する。【解決手段】光ケーブル１２を壁５に設けた貫通配線孔６に挿通しつつ壁面３に沿わせ曲げ配線する場合の同曲げ配線部に使用される配線具であって、上記壁５の貫通配線孔６から光ケーブル１２を導出し、該光ケーブル１２を配線具の添設座４の一端に貫設した壁貫通光ケーブル導出入口７を通し同配線具内のアーチ形光ケーブル配線路１１内へ導入し、該光ケーブル１２の内曲面を該アーチ形光ケーブル配線路１１を画成するアーチ形光ケーブル規制壁９で規制しつつ撓曲せしめ、配線具他端の壁面配線光ケーブル導出入口８から壁面３に沿い導出する構成とした壁貫通光ケーブルの配線具。【選択図】　　　　図４
2004125873.tif 000002
【特許請求の範囲】
【請求項１】
光ケーブルを壁に設けた貫通配線孔に挿通しつつ壁面に沿わせ曲げ配線する場合の同曲げ配線部に使用される配線具であって、上記壁面に添設される添設座を有し、該添設座の一端に同添設座を貫通し且つ上記壁の貫通配線孔と対向し連通する壁貫通光ケーブル導出入口を有すると共に、同添設座の他端面で開口せる壁面配線光ケーブル導出入口を有し、該添設座と一体に壁面の外方へ一定の曲率で膨出するアーチ形光ケーブル規制壁を設け、該アーチ形光ケーブル規制壁の一端側に上記壁貫通光ケーブル導出入口を配設すると共に、同他端側に上記壁面配線光ケーブル導出入口を配設し、上記アーチ形光ケーブル規制壁の膨出曲面に沿ってアーチ形光ケーブル配線路を形成し、該アーチ形光ケーブル配線路の一端を上記壁貫通光ケーブル導出入口で開口せしめると共に同他端を上記壁配線光ケーブル導出入口で開口せしめ、上記壁の貫通配線孔から上記添設座の壁貫通光ケーブル導出入口を通し上記アーチ形光ケーブル配線路内へ導入した光ケーブルの内曲面を上記アーチ形光ケーブル規制壁で規制しつつ撓曲せしめ、上記壁面配線光ケーブル導出入口から壁面に沿い導出する構成としたことを特徴とする壁貫通光ケーブルの配線具。
【請求項２】
上記アーチ形光ケーブル規制壁は壁貫通光ケーブル導出入口側の端部に急勾配の膨出部を有すると共に、同壁面配線光ケーブル導出入口側の端部に緩勾配の傾斜部を有することを特徴とする請求項１記載の壁貫通光ケーブルの配線具。
【請求項３】
上記壁貫通光ケーブル導出入口から突出して上記貫通配線孔内に挿入されるほぞ筒を有することを特徴とする請求項１記載の壁貫通光ケーブルの配線具。
【発明の詳細な説明】
【０００１】
【発明の属する技術分野】
本発明は光ケーブルを壁に設けた貫通配線孔に挿通しつつ壁面に沿わせ曲げ配線する場合の同曲げ配線部に使用される配線具に関する。
【０００２】
【従来の技術】
光ケーブルに関しては昨年度よりＮＴＴのインターネット向け超高速光アクセスサービスとして一般住宅向け屋内配線施工が開始されるに至っている。
【０００３】
光ケーブルを壁面に沿って屋内配線する場合、その直線配線部においては従来の電線ケーブル用の直線形の配線保護ダクトの転用が可能であるが、光ケーブルを壁に設けた貫通配線孔に挿通しつつ壁面に沿わせ曲げ配線する場合においては、光伝送損失を防止するため曲げ配線部における光ケーブルの曲率半径を３０ｍｍ以上にせねばならない制限が存在し、従来はこの制限に対応すべく特許文献１に示す如き専用のステップルを用い、壁の貫通配線孔から導出された光ケーブルを壁面に止着し、ステップル止め部と貫通配線孔間において同光ケーブルの自己弾力により撓曲せしめ、上記曲率を保持するように曲げ配線している。
【０００４】
又は光ケーブルの上記曲げ配線部に可撓チューブを外挿し、光ケーブルの自己弾力により同ケーブル及び可撓チューブを一定の曲率に撓曲させつつ同ケーブルの保護を図る方法が採られている。
【０００５】
【特許文献１】
特開平１１−２３１１８７号公報
【０００６】
【発明が解決しようとする課題】
然しながら上記方法は何れも光ケーブルの自己弾力にのみ依存して曲げ配線部における曲率を得ているため、適正な曲率出しが困難であり、信頼性に欠ける。
【０００７】
又光ケーブルが壁の貫通配線孔から外方へ不必要に大きな曲率で突曲したり、要求される曲率よりも小さな曲率で曲げ配線する懸念を有しており、更には光ケーブルの曲げ配線部における保護が充分に達成し難い問題点を有している。
【０００８】
【課題を解決するための手段】
本発明は光ケーブルを壁に設けた貫通配線孔に挿通しつつ壁面に沿わせ曲げ配線する場合の同曲げ配線部に使用される配線具に係り、該配線具は上記壁面に添設される添設座を有し、該添設座の一端に同添設座を貫通し且つ上記壁の貫通配線孔と対向し連通する壁貫通光ケーブル導出入口を有すると共に、同添設座の他端面で開口せる壁面配線光ケーブル導出入口を有する。
【０００９】
上記添設座と一体に壁面の外方へ一定の曲率で膨出するアーチ形光ケーブル規制壁を設け、該アーチ形光ケーブル規制壁の一端側に上記壁貫通光ケーブル導出入口を配設すると共に、同他端側に上記壁面配線光ケーブル導出入口を配設し、上記アーチ形光ケーブル規制壁の膨出曲面に沿って上記アーチ形光ケーブル配線路を形成し、該アーチ形光ケーブル配線路の一端を上記壁貫通光ケーブル導出入口で開口せしめると共に同他端を上記壁配線光ケーブル導出入口で開口せしめる。
【００１０】
光ケーブルは上記壁の貫通配線孔から上記添設座の壁貫通光ケーブル導出入口を通してアーチ形光ケーブル配線路内へ導入され、更に該導入直後の光ケーブルの内曲面を上記アーチ形光ケーブル規制壁で規制しつつ撓曲せしめ、撓曲後上記壁面配線光ケーブル導出入口から壁面に沿い導出する構成とする。
【００１１】
これにより光ケーブルを壁に設けた貫通配線孔に挿通しつつ壁面に沿わせ曲げ配線する場合の、同曲げ配線部における光ケーブルの保護を適切に図りつつ所要の曲率を確保できる。又同曲げ配線部における配線作業を容易にし、信頼性を確保できる。
【００１２】
上記アーチ形光ケーブル規制壁は壁貫通光ケーブル導出入口側の端部に急勾配の膨出部を有すると共に、同壁面配線光ケーブル導出入口側の端部に緩勾配の傾斜部を有し、これにより貫通配線孔から導出した直後の光ケーブルを上記急勾配膨出部により適正に撓曲させつつ、上記緩勾配傾斜面により漸次壁面に近づけて同壁面に無理なく沿わせる。
【００１３】
又上記壁貫通光ケーブル導出入口から上記貫通配線孔内に挿入されるほぞ筒を突設し、貫通配線孔に対する配線具の相対位置を確保する。
【００１４】
【発明の実施の形態】
以下本発明の実施の形態を図１乃至図９に基づいて説明する。
【００１５】
図１乃至図９に示す壁貫通光ケーブルの配線具は、壁面３に添設されるベース１と、このベース１に嵌脱自在に嵌合されるカバー２とから成る。
【００１６】
図１乃至図３に示すように、上記配線具は、即ちベース１は上記壁面３に添設される添設座４を有し、該添設座４の一端に同添設座４を貫通し且つ上記壁５に貫設した貫通配線孔６と対向し連通する壁貫通光ケーブル導出入口７を有すると共に、同添設座４の他端面で壁面３に向け開口せる壁面配線光ケーブル導出入口８を有する。
【００１７】
上記添設座４と一体に壁面３の外方へ一定の曲率で膨出するアーチ形光ケーブル規制壁９を設け、該アーチ形光ケーブル規制壁９の一端外側に近接して上記壁貫通光ケーブル導出入口７を配設すると共に、同他端側方に上記壁面配線光ケーブル導出入口８を配設し、上記アーチ形光ケーブル規制壁９の膨出曲面１０に沿ってアーチ形光ケーブル配線路１１を形成し、該アーチ形光ケーブル配線路１１の一端を上記壁貫通光ケーブル導出入口７で開口せしめると共に同他端を上記壁配線光ケーブル導出入口８で開口せしめる。
【００１８】
上記アーチ形光ケーブル規制壁９は光ケーブル１２の曲げ許容度に適合する曲率に設定した膨出曲面１０を有し、光ケーブル１２がこの膨出曲面１０に添接した時にその最低曲率が設定され、自己弾力によって膨出曲面１０から離反するように撓曲することによって前記曲率半径３０ｍｍ以上が確保できる。
【００１９】
上記壁貫通光ケーブル導出入口７はその軸線が壁面３と直交するように配設し、上記壁面配線光ケーブル導出入口８はその軸線が壁面３と略平行するように配設する。
【００２０】
図４，図５に示すように、光ケーブル１２は上記壁５の貫通配線孔６から上記添設座４の壁貫通光ケーブル導出入口７を通して上記アーチ形光ケーブル配線路１１内へ導入され、更に該導入直後の光ケーブル１２の内曲面を上記アーチ形光ケーブル規制壁９の膨出曲面１０で規制しつつ撓曲せしめ、撓曲後上記壁面配線光ケーブル導出入口８から壁面３に沿い導出する構成とする。
【００２１】
これにより光ケーブル１２を壁５に設けた貫通配線孔６に挿通しつつ壁面３に沿わせ曲げ配線する場合の、同曲げ配線部における光ケーブル１２の保護を適切に図りつつ所要の曲率を確保する。又同曲げ配線部における配線作業を容易にし、信頼性を確保する。
【００２２】
図４は光ケーブル１２を貫通配線孔６を介して壁５の一方の壁面３と他方の壁面３にＳ字形等に蛇行配線する場合を示しており、この場合両配線具は壁貫通光ケーブル導出入口７を貫通配線孔６と互いに同軸線に連通せしめ、壁面配線光ケーブル導出入口８が互いに逆向きとなるよう各壁面３に添設する。
【００２３】
又図５は光ケーブル１２を貫通配線孔６を介して壁５の一方の壁面３と他方の壁面３にＵ字形に配線する場合を示しており、この場合両配線具は壁貫通光ケーブル導出入口７を貫通配線孔６と互いに同軸線に連通せしめ、壁面配線光ケーブル導出入口８が互いに同方向になるよう各壁面３に添設する。
【００２４】
図４，図５の何れの場合においても、各配線具のほぞ筒１５は貫通配線孔６の一端と他端に夫々挿入されて同一軸線に連通し、両配線具の相対位置を設定する。
【００２５】
上記アーチ形光ケーブル規制壁９は壁貫通光ケーブル導出入口７の内側に隣接する端部に曲率半径の小さな急勾配の膨出部１３を有すると共に、同壁面配線光ケーブル導出入口８の内側の端部に緩勾配の傾斜部１４を有し、これにより貫通配線孔６から導出した直後の光ケーブル１２を上記急勾配膨出部１３により立ち上げつつ適正に撓曲させ、上記緩勾配傾斜面１４により漸次壁面３に近づくように案内して同壁面３に無理なく沿わせる。
【００２６】
上記急勾配膨出部１３は上記貫通配線孔６の内側に近接した位置から立ち上げ、該急勾配膨出部１３の頭頂面を経て上記壁面配線光ケーブル導出入口８に向かって上記緩勾配傾斜部１４を緩スロープで延在せしめ、該傾斜部１４の下端を同導出入口８の内側付近で終端せしめる。
【００２７】
又上記壁貫通光ケーブル導出入口７から上記貫通配線孔６内に挿入するほぞ筒１５を突設し、貫通配線孔６に対する配線具の相対位置を確保する。
【００２８】
上記ほぞ筒１５はベース１と一体成形して貫通配線孔６と同軸線に突設する。又は上記ほぞ筒１５をベース１及びカバー２とは別部品にて一体合成樹脂成形し、上記壁貫通光ケーブル導出入口７内へ外方から挿入し、外端に形成したフランジ３１を同導出入口７の縁部に係合し、突出長を設定する。
【００２９】
更に詳述すると上記ベース１の添設座４は壁面３に沿って延びる底面、即ち壁面３に添設される添設面１６を有し、配線具は、即ちベース１はこの添設面１６を両面接着テープ等を介し壁面３に接着する。
【００３０】
上記添設座４と一体合成樹脂成形にて上記アーチ形光ケーブル規制壁９を膨出し、該アーチ形光ケーブル規制壁９の左右側縁から膨出曲面１０と同調して膨出する形状の左右側壁１７を対向して立ち上げ、アーチ形光ケーブル規制壁９の膨出曲面１０と左右側壁１７の内側面にて上記アーチ形光ケーブル配線路１１を形成する。この左右側壁１７は添設座４の両端において終端し、この左右側壁１７の両端内側面間に上記壁貫通光ケーブル導出入口７と壁面配線光ケーブル導出入口８を設ける。
【００３１】
他方カバー２は上記アーチ形光ケーブル規制壁９と同調して外方へ膨出されたアーチ形頂壁（アーチ形光ケーブル規制壁）１８を有し、更に該アーチ形頂壁１８の左右側縁から対向して立ち下げられた左右側壁１９を備える。この側壁１９は上記ベース１の左右側面、即ちアーチ形光ケーブル規制壁９の左右側面を覆いつつ、その下端面が壁面３に近接して添設面１６と並行するような高さに立ち下げる。
【００３２】
上記カバー２の左右側壁１９の下端縁から内方へ向け係合爪２０を対向して突設し、該左右側壁１９を上記ベース１の左右外側面に夫々沿わせつつ、上記各係合爪２０をベース１の添設座４の基端の両側縁に形成された段部２１に弾力的に係止し、よってベース１にカバー２を嵌脱自在に嵌合する。
【００３３】
上記嵌合によってベース１のアーチ形光ケーブル規制壁９と、カバー２のアーチ形頂壁（アーチ形光ケーブル規制壁）１８とを対向せしめ、両者９，１８と左右側壁１７とによって周囲が閉鎖された上記アーチ形光ケーブル配線路１１を画成する。
【００３４】
前記の通り、貫通配線孔６を貫挿せる光ケーブル１２は配線具たるベース１の一端に貫通し開口せしめた壁貫通光ケーブル導出入口７を通し上記アーチ形光ケーブル配線路１１内へ導出入され、この光ケーブル１２を上記ベース１のアーチ形光ケーブル規制壁９の外側膨出曲面１０にて所定の曲率に規制しつつ、カバー２のアーチ形頂壁（アーチ形光ケーブル規制壁）１８の内側膨出曲面２２にて所定の曲率に規制し、且つ光ケーブル１２を保護する。
【００３５】
又ベース１の左右側壁１７の両端部には上記アーチ形光ケーブル規制壁９の両端において光ケーブル１２を係止するケーブル押え２３を設け、カバー２の嵌合前の光ケーブル１２の飛び出しを防止し、且つ両端のケーブル押え２３間における自己弾力による曲げを許容する。
【００３６】
上記ケーブル押え２３はベース１の左右側壁１７から互いに対向して内向きに突設し、両ケーブル押え２３間に光ケーブル挿入間隔２４を形成し、光ケーブル１２を該光ケーブル挿入間隔２４を通し配線路１１内へ挿入する。よってケーブル押え２３により光ケーブル１２の飛び出しを防止し、カバー２をベース１に嵌合する。
【００３７】
又上記ベース１の壁面配線光ケーブル導出入口８側の端部、即ち添設座４の壁面配線光ケーブル導出入口８側の端部を上記壁面３と略平行に突出して上記アーチ形光ケーブル配線路１１の一端、即ちアーチ形光ケーブル規制壁９の一端に短直配線路端２５を形成する。該短直配線路端２５の端面に上記壁面配線光ケーブル導出入口８を開口せしめ、上記短直配線路端２５によって上記アーチ形光ケーブル規制壁９の一端、即ち緩勾配傾斜部１４の下端における直線出しを適正にし、直線形配線保護ダクト２６への連絡を適正に行えるようにする。
【００３８】
同様に上記カバー２の壁面配線光ケーブル導出入口８側の端部（頂壁１８と側壁１９）を上記壁面３と略平行に突出して短直配線路端２５を形成し、該短直配線路端２５の端面に周囲が閉鎖された壁面配線光ケーブル導出入口８を開口せしめる。
【００３９】
更に詳述すると、上記ベース１のアーチ形光ケーブル規制壁９の膨出曲面１０の壁面配線光ケーブル導出入口８側の端部付近を内側へ向け曲成せる凹曲面２７にし、この凹曲面２７の端部に上記短直配線路端２５を形成する。
【００４０】
同様に上記カバー２のアーチ形頂壁１８の内側膨出曲面２２の壁面配線光ケーブル導出入口８側の端部付近を内側へ向け曲成せる凹曲面２７にし、この凹曲面２７の端部に上記短直配線路端２５を形成する。
【００４１】
上記配線具を形成するベース１の壁面配線光ケーブル導出入口８側の端部、即ちアーチ形光ケーブル規制壁９の壁面配線光ケーブル導出入口８の端部には直線形配線保護ダクト２６の底板２８を規制する舌片２９を設ける。即ち短直配線路端２５の端部から突出する舌片２９を設け、該舌片２９の下面に上記直線形配線保護ダクト２６の底板２８を差し入れ、短直配線路端２５の端面に突き当て相対位置を確保する。
【００４２】
図９に示すように、上記カバー２の上記短直配線路端２５はベース１の短直配線路端２５を覆いつつ、該ベース１の短直配線路端２５から更に突出し、該突出部３０、即ちカバー２の短直配線路端２５の突出部３０内へ上記直線形配線保護ダクト２６の端部を挿入してベース１の短直配線路端２５の端面に突き当て間隙生成を防止する。
【００４３】
以上述べた壁５とは建物の側壁、床壁、天井壁等を含み、これらの表面を壁面３と称する。又上記ベース１はその各構成要素と共に合成樹脂にて一体成形し、同様にカバー２はその各構成要素と共に合成樹脂にて一体成形する。
【００４４】
上記壁貫通光ケーブルの配線具はベース１にてその構成を充足し、これをカバー１で補完する。よって実施に応じカバー２を用いずにベース１にて光ケーブル１２の曲げ配線に対処することができる。
【図面の簡単な説明】
【図１】壁貫通光ケーブルの配線具のベースとカバーを分解し一端側から観た斜視図。
【図２】壁貫通光ケーブルの配線具のベースとカバーを分解し他端側から観た斜視図。
【図３】壁貫通光ケーブルの配線具のベースとカバーを分解した状態の縦断面図。
【図４】壁貫通光ケーブルの配線具を用いた配線構造を示す縦断面図。
【図５】壁貫通光ケーブルの配線具を用いた他の配線構造を以って示す縦断面図。
【図６】壁貫通光ケーブルの配線具を構成するベースの平面図。
【図７】図３におけるＡ−Ａ線断面図。
【図８】図６におけるＢ−Ｂ線断面図。
【図９】壁貫通光ケーブルの配線具と直線形配線保護ダクトの接続部を拡大して示す縦断面図。
【符号の説明】
１…ベース、２…カバー、３…壁面、４…添設座、５…壁、６…貫通配線孔、７…壁貫通光ケーブル導出入口、８…壁面配線光ケーブル導出入口、９…アーチ形光ケーブル規制壁、１０…膨出曲面、１１…アーチ形光ケーブル配線路、１２…光ケーブル、１３…急勾配膨出部、１４…緩勾配傾斜部、１５…ほぞ筒、１６…添設面、１７…左右側壁、１８…アーチ形頂壁、１９…左右側壁、２０…係合爪、２１…段部、２２…内側膨出曲面、２３…ケーブル押え、２４…光ケーブル挿入間隔、２５…短直配線路端、２６…直線形配線保護ダクト、２７…凹曲面、２８…直線形配線保護ダクトの底板、２９…舌片、３０…短直配線路端の突出部、３１…フランジ
【図１】
2004125873.tif 000003
【図２】
2004125873.tif 000004
【図３】
2004125873.tif 000005
【図４】
2004125873.tif 000006
【図５】
2004125873.tif 000007
【図６】
2004125873.tif 000008
【図７】
2004125873.tif 000009
【図８】
2004125873.tif 000010
【図９】
2004125873.tif 000011